(57)【要約】      （修正有）【課題】複数のステップを連結して斜面へ設置する作業に要する時間を大幅に削減できる斜面配置用ステップおよび斜面配置用階段を提供する。【解決手段】斜面に配置されるステップ１０であって、ステップが備える踏み部１１が、一端に杭が挿入される貫通孔が配設されるとともに、他端に複数の支持部１２が固定され、その支持部１２に、斜面に刺し込んで設置するための杭部１３が固定されていることを特徴とする斜面配置用ステップである。また、斜面に配置される階段２０であって、上記ステップ１０を複数用いて構成され、それらの複数のステップ１０が、一つのステップの支持部１２に固定された杭部１３を、別のステップの踏み部１１に配設された貫通孔に挿入することによって連結されていることを特徴とする斜面配置用階段である。【選択図】図２
0003181195.tif 000002
【実用新案登録請求の範囲】
【請求項１】
斜面に配置されるステップであって、
当該ステップが備える踏み部の一端に貫通孔が配設されるとともに、他端に複数の支持部が固定され、
当該支持部に、斜面に刺し込んで設置するための杭部が固定されていることを特徴とする斜面配置用ステップ。
【請求項２】
前記複数の支持部の間であって、前記杭部側に梁が配設されていることを特徴とする請求項１に記載の斜面配置用ステップ。
【請求項３】
前記踏み部に、多数の突起が形成されていることを特徴とする請求項１または２に記載の斜面配置用ステップ。
【請求項４】
斜面に配置される階段であって、
請求項１〜３のいずれかに記載のステップを複数用いて構成され、
当該複数のステップが、一つのステップの支持部に固定された杭部を、別のステップの踏み部に配設された貫通孔に挿入することによって連結されていることを特徴とする斜面配置用階段。
【考案の詳細な説明】
【技術分野】
【０００１】
本考案は、斜面に配置されるステップおよびそれを用いた斜面配置用階段に関するものである。さらに詳しくは、複数のステップを連結して斜面へ設置する作業に要する時間を大幅に削減できる斜面配置用ステップおよび斜面配置用階段に関するものである。
【背景技術】
【０００２】
登山道や災害時の仮設通路、法面の点検用通路等の整備では、傾斜した地面（斜面）に階段を配置する場合がある。このため、従来から種々の斜面配置用階段が提案されており、例えば、特許文献１〜３がある。特許文献１に提案される斜面配置用階段は、踏み板部を備えたステップと、そのステップを複数連結するための支持部材と、その支持部材とステップとを連結する取付部材と、ステップを地面に固定するための鋼棒とで構成される。ステップの踏み板部は、鋼棒が挿入される貫通孔が四隅近傍に形成される。また、取付部材は、ボルトおよびナットで構成され、それらに設けられたねじの締め付けにより支持部材とステップとを連結する。
【０００３】
また、特許文献２に提案される斜面配置用階段は、斜面に刺し込んで固定される支持部材と、その支持部材によって支持されるステップと、そのステップを支持部材に取り付けるための取付部材とで構成される。取付部材は、貫通ボルトおよびナットで構成され、それらに設けられたねじの締め付けにより支持部材とステップとを連結する。支持部材として山形鋼が用いられ、その山形鋼を地面に刺し込んで設置する。
【０００４】
特許文献３に提案される斜面配置用のプレハブ式階段が提案されている。そのプレハブ式階段のステップは、厚形再生プラスチックの板材を使用し、踏み部と、踏み込み部と、踏み込み部に対応して踏み部の後端辺に接続する取り付け部とが一体に成形されている。棒鋼を取り付け部側の踏み部に配設された貫通孔に挿入した状態で、地面に刺し込むことにより、ステップが斜面に設置される。また、複数のステップの連結は、一つのステップの取り付け部と、別のステップの踏み込み部とを内接させた状態で、スクリュー釘３本程度を打釘結合することにより実現される。
【先行技術文献】
【特許文献】
【０００５】
【特許文献１】特開２０００−１２９６８１号公報
【特許文献２】特開２００６−２１４１２２号公報
【特許文献３】実公昭６３−３５０７２号公報
【特許文献４】特許第２７８４３３６号
【考案の概要】
【考案が解決しようとする課題】
【０００６】
前述の特許文献１に提案される斜面配置用階段では、複数のステップを連結する際にボルト・ナットを用いる。また、複数のステップを斜面に設置する際、各ステップに配設された貫通孔に棒鋼を挿入した状態で棒鋼を地面に刺し込む。このため、複数のステップを連結して斜面に設置する作業に時間を要する。
【０００７】
また、特許文献２に提案される斜面配置用階段では、複数のステップを連結する際にボルト・ナットを用いる。このため、複数のステップを連結する作業に時間を要する。また、複数のステップを斜面に設置する際、各ステップを支持する支持部材、具体的には、山形鋼を地面に刺し込む。この場合、地盤が強固であると、山形鋼を刺し込むのが困難あるいは作業に時間を要することとなるので、階段の設置が軟弱な地盤に制約される。
【０００８】
特許文献３に提案される斜面配置用のプレハブ式階段は、複数のステップを連結する際にスクリュー釘を用いる。また、複数のステップを斜面に設置する際、各ステップに配設された貫通孔に棒鋼を挿入して地面に刺し込む。このため、複数のステップを連結して斜面に設置する作業に時間を要する。
【０００９】
本考案は、このような状況に鑑みてなされたものであり、複数のステップを連結して斜面へ設置する作業に要する時間を大幅に削減できる斜面配置用ステップおよび斜面配置用階段を提供することを目的とする。
【課題を解決するための手段】
【００１０】
本考案の要旨は、以下の通りである。
【００１１】
（１）斜面に配置されるステップであって、当該ステップが備える踏み部の一端に貫通孔が配設されるとともに、他端に複数の支持部が固定され、当該支持部に、斜面に刺し込んで設置するための杭部が固定されていることを特徴とする斜面配置用ステップ。
【００１２】
（２）前記複数の支持部の間であって、前記杭部側に梁が配設されていることを特徴とする上記（１）に記載の斜面配置用ステップ。
【００１３】
（３）前記踏み部に、多数の突起が形成されていることを特徴とする上記（１）または（２）に記載の斜面配置用ステップ。
【００１４】
（４）斜面に配置される階段であって、上記（１）〜（３）のいずれかに記載のステップを複数用いて構成され、当該複数のステップが、一つのステップの支持部に固定された杭部を、別のステップの踏み部に配設された貫通孔に挿入することによって連結されていることを特徴とする斜面配置用階段。
【考案の効果】
【００１５】
本考案の斜面配置用ステップは、踏み部に貫通孔が配設されるとともに、踏み部、支持部および杭部が一体化されている。このステップを用いる本考案の斜面設置用階段は、一つのステップの支持部に固定された杭部を、別のステップの踏み部に配設された貫通孔に挿入した状態で地面に刺し込むことにより、複数のステップを連結しつつ斜面に設置することができる。このため、本考案の斜面配置用ステップおよび斜面配置用階段は、ボルト・ナットやスクリュー釘を用いることなく、複数のステップを連結できることから、連結して斜面へ設置する作業に要する時間を大幅に削減できる。
【図面の簡単な説明】
【００１６】
【図１】本考案の斜面配置用ステップの構成例を示す模式図であり、同図（ａ）は上面図、同図（ｂ）は正面図、同図（ｃ）は側面図である。
【図２】本考案の斜面配置用階段の構成を模式的に示す側面図である。
【考案を実施するための形態】
【００１７】
以下に、本考案の斜面配置用ステップおよび斜面配置用階段について、図面を参照しながら説明する。
【００１８】
図１は、本考案の斜面配置用ステップの構成例を示す模式図であり、同図（ａ）は上面図、同図（ｂ）は正面図、同図（ｃ）は側面図である。同図に示すステップ１０は、踏み部１１と、支持部１２と、杭部１３とを備える。踏み部１１は、ステップを設置した際に水平となって歩行者に踏みつけられる部分である。同図に示すステップ１０において、踏み部１１は、３本の山形鋼でコの字状に形成された外枠の中に２本の山形鋼を架設することにより構成される（同図（ａ）参照）。
【００１９】
このように構成できるステップの踏み部１１は、その一端に主に別のステップの杭部１３を挿入するための貫通孔１１ａが配設されるとともに、他端に複数の支持部１２が固定されている。同図に示すステップの踏み部１１では、ステップを設置した際に山側に位置する一端に貫通孔１１ａが２個配設されるとともに、谷側に位置する他端に山形鋼からなる支持部１２が２本固定されている。
【００２０】
ステップの支持部１２には、杭部１３が固定されており、その杭部１３を地面に刺し込むことによりステップ１０が斜面に設置される。同図に示すステップ１０では、山形鋼からなる２本の支持部１２は、それぞれ一端が踏み部１１に固定されるとともに、他端に杭部１３として円形の断面形状を有する棒鋼が固定されている。
【００２１】
本考案のステップは、踏み部１１に支持部１２が固定され、その支持部１２に杭部１３が固定されており、換言すると、踏み部１１、支持部１２および杭部１３が一体化されている。このような構成例を採用できる本考案のステップを用いた斜面配置用階段について説明する。
【００２２】
図２は、本考案の斜面配置用階段の構成を模式的に示す側面図である。同図には、複数のステップ１０を連結して構成された階段２０を示し、斜面の位置を想像線で示す。同図に示す階段２０は、４段であり、前記図１に示すステップ１０を４個連結することにより構成される。
【００２３】
ステップ１０の連結は、一つのステップの踏み部１１に配設された貫通孔に、別のステップの支持部に固定された杭部１３を挿入することによって行われる。例えば、階段２０の一段目（最下段）となるステップの踏み部１１の貫通孔に、２段目となるステップの支持部に固定された杭部１３を挿入することによって連結される。このように本考案のステップは、ボルト・ナットやスクリュー釘を用いることなく連結できる。また、本考案のステップは、前述の通り、踏み部、支持部および杭部が一体化されているので、その作業は容易である。したがって、本考案のステップは、連結作業に要する時間を削減でき、そのステップを用いる本考案の階段も、連結作業に要する時間を削減できる。
【００２４】
ステップを連結する際、１段目のステップの踏み部１１と２段目のステップの踏み部１１との間隔は、一定（支持部１２の長さ）以上に維持される。これは、踏み部に配設される貫通孔１１ａが、杭部１３を挿入可能、かつ、支持部１２を挿入不可となるように、貫通孔１１ａ、杭部１３および支持部１２の寸法が適宜設定されていることによる。
【００２５】
ステップ１０の設置は、ステップの杭部１３を地面に刺し込むことによって行われる。設置されたステップの踏み部１１は、谷側に位置する一端を支持部１２によって支持されるとともに、山側に位置する他端が斜面に接地する。本考案のステップは、前述の通り、踏み部、支持部および杭部が一体化されており、別に杭（例えば棒鋼）を準備する必要がない。このため、本考案のステップは、容易に設置できるとともに、設置作業に要する時間を削減でき、そのステップを用いる本考案の階段も、容易に設置できるとともに、設置作業に要する時間を削減できる。
【００２６】
このように本考案のステップおよび階段は、連結して斜面に設置する作業に要する時間を大幅に削減できる。また、本考案のステップおよび階段は、ステップの支持部に固定された杭部１３を地面に刺し込んで設置するので、山形鋼を地面に刺し込んで設置する場合のように階段を設置する場所に制約がない。すなわち、斜面の地盤が軟弱な場合に限らず強固な場合でも、階段の設置が可能である。
【００２７】
本考案の階段は、例えば、以下の手順により組立てることができる。
（１）１段目のステップの杭部１３を地面に刺し込むことにより、１段目のステップを設置する。
（２）２段目のステップの杭部１３を、１段目のステップの踏み部の貫通孔１１ａに挿入した状態で地面に刺し込むことにより、２段目のステップを１段目のステップと連結しつつ設置する。
（３）３段目以降のステップの杭部１３を、上記（２）の手順と同様に、直前に設置したステップの踏み部の貫通孔１１ａに挿入した状態で地面に刺し込むことにより、３段目以降のステップを直前に設置したステップと連結しつつ設置する。
【００２８】
本考案のステップおよび階段は、ステップの複数の支持部１２の間であって、杭部１３側に梁１４を配設するのが好ましい。前記図１に示すステップでは、２本の支持部１２の間であって、杭部１３側に梁として山形鋼が配設されている。このように杭部１３側に梁１４を配設すれば、ステップの強度が増加するのみならず、梁１４が地面と接触することによってステップ１０が地面に沈み込むのを防止できる。
【００２９】
本考案のステップおよび階段は、ステップの踏み部１１に、多数の突起が形成されているのが好ましい。踏み部１１に多数の突起が形成されていれば、降雨時等に歩行者が滑るのを防止できる。前記図１に示すステップのように、踏み部１１を複数の山形鋼で構成する場合、一方または両方の外表面に多数の突起が形成された山形鋼を用いることにより、踏み部１１に多数の突起を形成することができる。一方の外表面に多数の突起が形成された山形鋼は、例えば、特許文献４に提案される方法によって得ることができる。
【００３０】
前記図１および２に示すステップおよび階段は、ステップの踏み部１１および支持部１２が山形鋼を用いて構成されているが、本考案のステップおよび階段は、この構成に限定されない。ステップの踏み部１１は、例えば、鋼板や樹脂を用いて構成することもでき、支持部１２は、例えば、鋼管や棒鋼で構成することもできる。
【００３１】
本考案のステップおよび階段は、ステップの踏み部１１および支持部１２を山形鋼で構成するのが好ましい。これにより、製造コストを低減できるとともに、強度を確保することができる。
【００３２】
ステップが備える踏み部１１への支持部１２の固定や支持部１２への杭部１３の固定についても特に制限はなく、例えば、ボルト・ナットやスクリュー釘を含む取付部材によって固定したり、リベット接合によって固定したりできる。踏み部１１および支持部１２を山形鋼で構成する場合、前加工や取付（固定）作業に要するコストの観点から、踏み部１１へ支持部１２を溶接して固定するとともに、支持部１２へ杭部１３を溶接して固定するのが好ましい。同様の理由により、踏み部１１を構成する複数の山形鋼についても、溶接して一体化するのが好ましい。
【００３３】
ステップの踏み部１１および支持部１２を山形鋼で構成する場合、材質について特に制限はなく、例えば、ＪＩＳ  Ｇ  ３１０１に規定された一般構造用圧延鋼材（ＳＳ４００等）からなる山形鋼を用いることができる。防錆や美観の向上の観点から、塗料や樹脂で表面がコーティングされた山形鋼を用いる、または、一体化したステップの踏み部１１、支持部１２および杭部１３の表面を塗料や樹脂でコーティングするのが好ましい。塗料等によるコーティングに代え、表面がめっき処理された山形鋼を用いる、または、一体化したステップの踏み部１１、支持部１２および杭部１３の表面をめっき処理してもよい。めっき処理として、例えば、溶融亜鉛めっき処理を採用できる。
【００３４】
本考案のステップおよび階段は、ステップの杭部１３を、例えば、円形や矩形等の断面形状を有する棒鋼で構成できる。
【００３５】
ステップの踏み部を支持する支持部１２の数は、ステップの幅や材料の強度等に応じて２以上で適宜設定すればよい。
【００３６】
本考案のステップおよび階段は、設置する斜面の斜度に応じてステップの支持部１２の長さを適宜設定すればよい。すなわち、ステップの支持部１２の長さを変更すれば、様々な斜度の斜面に設置することができる。支持部１２の長さの変更にスペーサーを用い、その数や寸法を調整することにより行えば、簡便に支持部１２の長さを変更できる。
【００３７】
本考案の階段は、杭３０を最上段のステップの踏み部１１に配設された貫通孔１１ａに挿入した状態で、杭３０を斜面に刺し込むのが好ましい。前記図２に示す階段２０のように、杭３０を最上段（４段目）のステップの踏み部１１に配設された貫通孔１１ａに挿入した状態で、杭３０を地面に刺し込むことにより、最上段のステップ１０をより安定した状態で設置することができる。その杭３０としては、例えば、棒鋼を用いることができる。
【産業上の利用可能性】
【００３８】
本考案の斜面配置用ステップおよび斜面配置用階段は、複数のステップを連結して斜面へ設置する作業に要する時間を大幅に削減できる。このため、本考案の斜面配置用ステップおよび斜面配置用階段は、登山道や災害時の仮設通路、法面の点検用通路等の整備の際の斜面配置用階段として好適である。
【符号の説明】
【００３９】
１０：斜面配置用ステップ、  １１：踏み部、  １１ａ：貫通孔、  １２：支持部、
１３：杭部、  １４：梁、  ２０：斜面配置用階段、  ３０：杭
【図１】
0003181195.tif 000003
【図２】
0003181195.tif 000004